(57)【要約】【課題】交差点において、車両の左折先の歩行者による交通流の低下を抑えるする技術を提供する。【解決手段】車両（プローブ車両）４の走行軌跡情報を取得する情報取得部１２と走行軌跡情報から、当該車両４が交差点Ｉｓ１、Ｉｓ２を左折したときの部分走行軌跡情報を抽出する部分軌跡抽出部１１１と、部分走行軌跡情報を用いて推定した車両４の走行状態を交差点Ｉｓ１、Ｉｓ２別に集計する集計部１１３と、集計部１１３の集計結果に応じて、信号制御パラメータを生成するパラメータ生成部１１４と、を備える。部分走行軌跡情報は、交差点Ｉｓ１、Ｉｓ２の前に設定された始点５１から、交差点Ｉｓ１、Ｉｓ２の先に設定された終点５２までの車両４の軌跡を示す情報である。【選択図】図３
2020086648.tif 000002
【特許請求の範囲】
【請求項１】
車両の走行軌跡情報を取得する情報取得部と、
前記情報取得部で取得した前記走行軌跡情報から、当該車両が交差点を左折したときの部分走行軌跡情報を抽出する部分軌跡抽出部と、
前記部分軌跡抽出部に抽出された前記部分走行軌跡情報を用いて前記車両の走行状態を推定した推定部と、
前記推定部によって推定された推定結果を交差点別に集計する集計部と、
前記集計部の集計結果に応じて、信号制御パラメータを生成するパラメータ生成部と、を備え、
前記部分走行軌跡情報は、前記交差点の前に設定された始点から、前記交差点の先に設定された終点までの前記車両の軌跡を示す情報である、信号制御パラメータ生成装置。
【請求項２】
前記部分軌跡抽出部は、前記車両が前記交差点を左折したときの前記始点から前記終点に至るまでに要した走行時間が予め決められた走行基準時間を超えた場合、前記車両が前記交差点を左折したときの前記部分走行軌跡情報を抽出する、請求項１に記載の信号制御パラメータ生成装置。
【請求項３】
前記走行時間は、前記車両が前記交差点を左折したときの前記始点から前記終点に至るまでに要した時間から、前記車両が信号によって停止した時間を考慮した時間である、請求項２に記載の信号制御パラメータ生成装置。
【請求項４】
前記推定部は、前記車両が前記交差点に進入した後に、横断歩道の前で停止した場合、前記横断歩道を通過後における当該車両の走行状態によって、前記車両が前記横断歩道の前で停止したことが歩行者によるものであったかどうかを推定する、請求項１〜３のいずれかに記載の信号制御パラメータ生成装置。
【請求項５】
前記推定部は、前記車両が前記横断歩道を通過した後に加速していれば、前記横断歩道の前での停止が前記歩行者によるものであると推定する、請求項４に記載の信号制御パラメータ生成装置。
【請求項６】
前記集計部は、推定結果を、時間帯別に集計し、
前記パラメータ生成部は、前記時間帯別に集計された集計結果に基づいて、前記信号制御パラメータを生成する、請求項１〜５のいずれかに記載の信号制御パラメータ生成装置。
【請求項７】
前記集計部が集計した集計結果に基づいて、注意情報を出力する出力部を備える、請求項１〜６のいずれかに記載の信号制御パラメータ生成装置。
【請求項８】
取得した車両の走行軌跡情報から、当該車両が交差点を左折したときの部分走行軌跡情報を抽出する部分軌跡抽出ステップと、
前記部分軌跡抽出ステップに抽出された前記部分走行軌跡情報を用いて前記車両の走行状態を推定する推定ステップと、
前記推定ステップで推定した前記走行状態に応じて、前記部分走行軌跡情報を交差点別に集計する集計ステップと、
前記集計ステップの集計結果に応じて、信号制御パラメータを生成するパラメータ生成ステップと、をコンピュータが実行し、
前記部分走行軌跡情報は、前記交差点の前に設定された始点から、前記交差点の先に設定された終点までの前記車両の軌跡を示す情報である、信号制御パラメータ生成方法。
【請求項９】
取得した車両の走行軌跡情報から、当該車両が交差点を左折したときの部分走行軌跡情報を抽出する部分軌跡抽出ステップと、
前記部分軌跡抽出ステップに抽出された前記部分走行軌跡情報を用いて前記車両の走行状態を推定する推定ステップと、
前記推定ステップで推定した前記走行状態に応じて、前記部分走行軌跡情報を交差点別に集計する集計ステップと、
前記集計ステップの集計結果に応じて、信号制御パラメータを生成するパラメータ生成ステップと、をコンピュータに実行させ、
前記部分走行軌跡情報は、前記交差点の前に設定された始点から、前記交差点の先に設定された終点までの前記車両の軌跡を示す情報である、信号制御パラメータ生成プログラム。
【発明の詳細な説明】
【技術分野】
【０００１】
この発明は、交差点に設置されている信号機を信号制御する技術に関する。
【背景技術】
【０００２】
従来、交通管制センタ内に設置され、交通流を円滑にする交通管制のために、車両の交通量に基づく交通パラメータを算出する交通パラメータ算出装置がある（例えば、特許文献１）。
【０００３】
交通パラメータ算出装置は、車両感知器によって計測された車両数を用いて、交通パラメータを算出する。
【先行技術文献】
【特許文献】
【０００４】
【特許文献１】特開２０１０−０４４５２８号公報
【発明の概要】
【発明が解決しようとする課題】
【０００５】
しかしながら、車両のドライバーは、交差点で左折するとき、当該車両が交差点に進入する方向に横断歩道を横断している歩行者がいると、その歩行者を安全に横断させるために、横断歩道の手前で車両を一時停止させる。したがって、左折車両が多い交差点において、歩行者の横断が左折車両の通行を多く妨げる場合は、左折車両の停止時間が長くなり、交通流を低下させる。
【０００６】
この発明の目的は、交差点において、車両の左折側の歩行者による交通流の低下を抑える技術を提供することにある。
【課題を解決するための手段】
【０００７】
この発明の信号制御パラメータ生成装置は、上記目的を達するために、以下のように構成している。
【０００８】
情報取得部は、車両（例えば、プローブ車両）の走行軌跡情報を取得する。ここでいう、走行軌跡情報は、例えば、位置情報、日時情報及び速度情報を含む。部分軌跡抽出部は、情報取得部で取得した走行軌跡情報から、当該車両が交差点を左折したときの部分走行軌跡情報（左折時の部分走行軌跡情報）を抽出する。左折時の部分走行軌跡情報は、車両が交差点に進入する交差点の流入側に設定された始点から、車両が交差点を左折して交差点を通過する流出側に設定された終点までの走行軌跡を示す情報である。推定部は、部分軌跡抽出部に抽出された左折時の部分走行軌跡情報を用いて車両の走行状態を推定する。推定部は、例えば、車両の停止（走行状態）が歩行者によるものであるか先詰まりによるものであるかを推定する。集計部は、推定部が推定した推定結果を交差点別に集計する。パラメータ生成部は、例えば、歩行者の影響による車両の停止の割合が高ければ、歩行者用信号灯器の青点灯時間を減らし、車両のみが通行できる時間を増やすような、信号制御パラメータを生成する。
【０００９】
この構成では、左折車両の停止時間が短くなり、より多くの車両が交差点を左折することができる。したがって、この構成では、交差点において、車両が左折する場合、左折側の横断歩道に歩行者がいることによる交通流の低下を抑えることができる。
【００１０】
また、部分軌跡抽出部は、車両が実際に交差点を左折したときの始点から終点に至るまでに要した走行時間が、予め決められた走行基準時間を超えた場合、当該車両が交差点を左折したときの部分走行軌跡情報を抽出することが好ましい。ここでいう走行基準時間は、予め決められた基準値（時間）である。要するに、部分軌跡抽出部は、走行時間が走行基準時間を超えていれば、車両の走行状態（例えば、停止）が歩行者及び先詰まりのいずれかによるものであると判定する。この場合、車両が交差点に進入する手前（以下の説明では、単に交差点の手前という。）で車両用信号灯器の表示が停止（例えば、赤点灯）を示していれば、左折先の状況に関係なく停止線の手前で停止する。そこで、部分軌跡抽出部は、車両が、車両用信号灯器によって停止した場合、走行基準時間と、この停止した時間を考慮した走行時間とを比較する。
【００１１】
このような構成にすることで、部分軌跡抽出部が抽出する情報量が少なくなり、走行状態を推定する推定処理も少なくなるので、部分軌跡抽出部及び推定部を含むＣＰＵの負荷を軽減することができる。
【００１２】
推定部は、左折する車両が交差点に進入した後に、当該車両の左折側の横断歩道の手前で停止した場合、横断歩道を通過後における当該車両の走行状態によって、車両が横断歩道の手前で停止したことが歩行者によるものであるかどうかを推定するのがよい。
【００１３】
このように構成することで、推定部の処理をより簡易的にすることができる。
【００１４】
また、歩行者が横断歩道を横断していれば、ドライバーは、車両を横断歩道の手前で停止させる。この場合、推定部は、当該車両が当該横断歩道を通過した後に加速していれば、この車両の停止が歩行者によるものであると推定することが好ましい。言い換えると、推定部は、車両が横断歩道を通過した後、加速していなければ（例えば、停止）、車両が横断歩道の手前で停止したことが左折先の先詰まりによるものであると推定する。
【００１５】
このように構成することで、車両の停止が歩行者によるものかどうかをより正確に推定することができる。
【００１６】
また、集計部は、推定結果を時間帯別に集計することが好ましい。この場合、パラメータ生成部は、時間帯別に集計された集計結果に基づいて、信号制御パラメータを生成する。
【００１７】
このように構成することで、時間帯別に、歩行者の横断が車両の左折に与える影響を把握することができ、時間帯に応じた信号制御パラメータを生成することができる。
【００１８】
出力部は、集計部が集計した集計結果を用いて、適宜左折する車両のドライバーに注意を促す注意情報を、例えば、交通情報板に、出力することが好ましい。
【００１９】
このような構成にすることで、ドライバーに注意を促すことができる。
【発明の効果】
【００２０】
この発明によれば、交差点において、車両の左折側の歩行者による交通流の低下を抑えることができる。
【図面の簡単な説明】
【００２１】
【図１】交通管制システムの主要部の構成を示すブロック図である。
【図２】交差点を示す概略図である。
【図３】センタ装置の主要部の構成を示すブロック図である。
【図４】図４（Ａ）は、交差点における推定結果の一例を示す図であり、図４（Ｂ）は、推定結果に基づく集計結果の一例を示す図である。
【図５】歩行者用信号灯器の青点灯短縮情報を示す図である。
【図６】現示階梯図を示す図である。
【図７】センタ装置の動作を示すフローチャートである。
【図８】走行軌跡抽出処理の一例を示すフローチャートである。
【図９】推定処理の一例を示すフローチャートである。
【図１０】集計処理の一例を示すフローチャートである。
【図１１】パラメータ生成処理の一例を示すフローチャートである。
【図１２】変形例に係る部分軌跡抽出処理の一例を示すフローチャートである。
【発明を実施するための形態】
【００２２】
以下、この発明の実施形態について説明する。
【００２３】
＜１．適用例＞
図１は、この発明の実施形態に係る交通管制システムの主要部の構成を示すブロック図である。この例に係る交通管制システムは、センタ装置１と、信号制御機２と、交通信号灯器３と、を備える。
【００２４】
センタ装置１は、交通管制センタに設けられている。センタ装置１は、複数の交差点、例えば、管理エリア内に位置する各交差点Ｉｓ１、Ｉｓ２、に設置されている交通信号灯器３の信号制御パラメータを生成する。信号制御パラメータは、交通信号灯器３の点灯タイミングを表すサイクル、スプリット及びオフセットを決定するパラメータである。センタ装置１は、各交差点Ｉｓ１、Ｉｓ２の交通量に応じた信号制御パラメータを生成して、信号制御機２に信号制御パラメータを送信する。この例でいう交通量は、交差点Ｉｓ１、Ｉｓ２を通過する車両の台数（量）である。
【００２５】
センタ装置１は、通信網、例えば、広域通信網、を介して、各交差点Ｉｓ１、Ｉｓ２に設けられている信号制御機２と通信可能に接続されている。また、センタ装置１は、例えば、ネットワークを介して車両（例えば、プローブ車両４）から走行軌跡情報を取得する。ここでいうセンタ装置１が、この発明に係る信号制御パラメータ生成装置である。
【００２６】
なお、交通管制システムにおいて、交差点は３つ以上であってもよいし、交通管制システムは、３つ以上の交差点のそれぞれに設置された信号制御機及び交通信号灯器を備えていてもよい。ここでは、説明の簡略化のために、２つの交差点のみを示している。
【００２７】
信号制御機２は、制御対象の交差点（例えば、交差点Ｉｓ１、Ｉｓ２）に設置されている交通信号灯器３の点灯制御を行う。なお、信号制御機２は、制御対象の交差点が１つであるとは限らない。例えば、信号制御機２は、隣接する２つの交差点を制御対象の交差点とする場合もある。
【００２８】
図２は、交差点（以下の説明では、交差点Ｉｓ１を代表して説明する。）を示す概略図である。この例では、図２において、車両が上下方向に走行する道路を主道路、車両が左右方向に走行する道路を従道路として説明する。交差点Ｉｓ１に設置されている交通信号灯器３は、歩行者用信号灯器３ａａ、３ａｂ及び車両用信号灯器３ｂａ、３ｂｂを含む。
【００２９】
歩行者用信号灯器３ａａ、３ａｂは、各横断歩道に、歩行者の横断方向毎に設けられている。歩行者用信号灯器３ａａは、図２において、横断方向が上下方向である横断歩道に設けられている。要するに、歩行者用信号灯器３ａａは、従道路を横断する横断歩道に設けられている。また、歩行者用信号灯器３ａｂは、図２において、横断方向が左右方向である横断歩道に設けられている。要するに、歩行者用信号灯器３ａｂは、主道路を横断する横断歩道に設けられている。
【００３０】
車両用信号灯器３ｂａ、３ｂｂは、交差点Ｉｓ１への車両の進入方向毎に設けられている。車両用信号灯器３ｂａは、主道路を走行する車両に対して設けられている。また、車両用信号灯器３ｂｂは、従道路を走行する車両に対して設けられている。
【００３１】
センタ装置１は、プローブ車両４の走行軌跡情報を取得する。この例における、走行軌跡情報は、例えば、位置情報、日時情報及び速度情報を含む。プローブ車載器は、例えば、ＧＮＳＳ（Global Navigation Satellite System）受信部を介してプローブ車両４の位置（例えば、経度及び緯度）情報を取得する。そして、プローブ車載器は、例えば、取得した位置情報を時刻及び速度に係る情報に対応付けておく。
【００３２】
なお、プローブ車両４は、例えば、プローブ車載器と通信部を有しており、プローブ車載器で取得した走行軌跡情報を通信端末から定期的にセンタ装置１に送信してもよい。また、プローブ車両４は、記憶媒体、例えば、ＵＳＢメモリ、ＳＤカードに走行軌跡情報を記憶させておいてもよい。この場合、例えば、記憶媒体が車載器から通信端末に移されることで、センタ装置１は、走行軌跡情報を、インターネット等の通信回線を介して取得する。
【００３３】
センタ装置１は、従来、交通量によって、一定の期間（５分毎）に予め設定された信号制御パラメータを選択する。この信号制御パラメータは、通常、横断歩道を横断する歩行者を考慮したものではない。交差点においては、信号制御パラメータの見直しが長期間行われないものも存在する。プローブ車両４のドライバーは、例えば、交差点を左折するとき、従道路を横断する横断歩道（以下の説明では、単に左折側の横断歩道という。）に歩行者６がいると、その歩行者６を安全に横断させるために、横断歩道の手前で停止させる。したがって、左折車両が多い交差点において、歩行者の横断が左折車両の通行を多く妨げる場合、左折車両の停止時間が長くなり、交通流を低下させる。
【００３４】
この例に係るセンタ装置１は、プローブ車両４の走行軌跡情報を用いて、交通流の低下を解消する。センタ装置１は、歩行者６による左折車両への影響を考慮した信号制御パラメータを生成する。具体的には、センタ装置１は、その時点における信号制御パラメータの歩行者用信号灯器３ａａのスプリットのみを変更した信号制御パラメータを新たな信号制御パラメータとして生成する。例えば、歩行者用信号灯器３ａａの青点灯時間を短縮し、車両用信号灯器３ｂａの青点灯時間を変えないようにすると、交差点Ｉｓ１において、車両だけが交差点Ｉｓ１を通過することができる時間が長くなる。すなわち、交差点Ｉｓ１において、より多くの車両が歩行者６の影響を受けることなく左折することができる。
【００３５】
＜２．構成例＞
図３は、センタ装置１の主要部の構成を示すブロック図である。図４（Ａ）は、交差点Ｉｓ１における推定結果の一例を示す図である。図４（Ｂ）は、推定結果に基づく集計結果の一例を示す図である。図５は、歩行者用信号灯器３ａａの青点灯短縮情報ｄ１を示す図である。
【００３６】
センタ装置１は、図３に示すように、制御ユニット１１と、情報取得部１２と、信号制御通信部１３と、注意情報出力部１４とを備えている。以下の説明では、交差点Ｉｓ１において、主道路（図２における下側）から従道路（図２における左側）に向かって左折するプローブ車両４について説明する。
【００３７】
情報取得部１２は、プローブ車両４の走行軌跡に係る走行軌跡情報を取得する。
【００３８】
制御ユニット１１は、部分軌跡抽出部１１１と、推定部１１２と、集計部１１３と、パラメータ生成部１１４とを備えている。
【００３９】
部分軌跡抽出部１１１は、情報取得部１２で取得したプローブ車両４の走行軌跡情報から、プローブ車両４が交差点Ｉｓ１を左折したときの部分走行軌跡情報を抽出する。より具体的には、部分軌跡抽出部１１１は、交差点Ｉｓ１において、プローブ車両４が、主道路（図２における上側又は下側）から従道路に向かって左折したときの部分走行軌跡情報と、従道路（図２における右側又は左側）から主道路に向かって左折したときの部分走行軌跡情報とを抽出する。以下の説明では、プローブ車両４が、交差点Ｉｓ１において、主道路（図２における下側）から従道路（図２における左側）に向かって左折したときの部分走行軌跡情報を用いて説明する。
【００４０】
プローブ車両４が交差点Ｉｓ１を左折したときの部分走行軌跡情報（以下の説明では、左折時の部分走行軌跡情報という。）は、プローブ車両４が流入する流入側（図２における下側）の始点５１から、プローブ車両４が左折して交差点Ｉｓ１、Ｉｓ２を流出する流出側（図２における左側）の終点５２に至るまでの走行軌跡を示す情報である（図２参照）。
【００４１】
なお、この例における始点５１は、停止線から５０ｍ手前に設定されている。また、この例における終点５２は、交差点Ｉｓ１、Ｉｓ２を通過した位置から３０ｍ先に設定されている。ただし、上述の始点５１及び終点５２の位置は、一例であって、これに限定されない。
【００４２】
推定部１１２は、抽出した左折時の部分走行軌跡情報を用いて、左折するプローブ車両４が交差点Ｉｓ１に進入した後に、プローブ車両４の左折側の横断歩道の手前で停止した場合、横断歩道を通過後における当該プローブ車両４の走行状態によって、プローブ車両４が横断歩道の手前で停止したことが歩行者６によるものであるかどうかを推定する。
【００４３】
推定部１１２は、例えば、交差点Ｉｓ１において、プローブ車両４が横断歩道の手前で停止したと判定し、かつ横断歩道の通過後にプローブ車両４が加速していると判定すれば、プローブ車両４の横断歩道の手前での停止が歩行者６によるものであると推定する。言い換えると、推定部１１２は、プローブ車両４の走行状態が歩行者６の影響を受けたと推定する。
【００４４】
推定部１１２は、プローブ車両４が横断歩道の手前で停止していないと判定すれば、プローブ車両４の走行状態が歩行者６の影響を受けていないと推定する。また、推定部１１２は、プローブ車両４が横断歩道の手前で停止していても、横断歩道の通過後にプローブ車両４が加速していないと判定すれば、プローブ車両４の走行状態が歩行者６の影響を受けていないと推定する。
【００４５】
また、推定部１１２は、推定した走行状態をプローブ車両４を特定する車両ＩＤに対応づける。この場合、推定部１１２は、車両ＩＤ及び推定結果に、交差点Ｉｓ１を識別する交差点ＩＤ、始点５１通過日時及び始点５１から終点５２に至るまでに要した走行時間を対応づける。
【００４６】
集計部１１３は、交差点Ｉｓ１について、推定された推定結果を集計する。この例でいう推定結果とは、推定された走行状態に、車両ＩＤ、交差点ＩＤ、通過日時及び走行時間を対応づけたものである。図４（Ａ）で示される推定結果の走行状態のパターンＡは、歩行者６の影響を受けていない走行状態を示す。図４（Ａ）で示される推定結果の走行情報のパターンＢは、歩行者６の影響を受けた走行状態を示す。
【００４７】
また、集計部１１３は、図４（Ａ）、（Ｂ）に示すように、例えば、交差点Ｉｓ１において、推定結果を時間帯別に集計する。集計部１１３は、例えば、１か月の間に、１２時から１８時までに左折した全てのプローブ車両４の台数（量）（図４（Ｂ）で示される合計台数）に対するパターンＢのプローブ車両４の台数（量）（図４（Ｂ）で示されるパターンＢの台数）の割合を算出する。これにより、集計部１１３は、時間帯別に交通量を把握し、時間帯に応じた信号制御パラメータを生成することができる。
【００４８】
そして、集計部１１３は、パターンＢのプローブ車両４が予め決められていた割合を超えていれば、パターンＢのプローブ車両４の走行時間から、平均走行時間ｔａｖを、算出する。
【００４９】
この例でいう、予め決められていた割合とは、交通流の低下（渋滞）を示す基準値である。すなわち、パターンＢのプローブ車両４の台数の割合が予め決められていた割合を超えていれば、交通流が低下しているといえる。
【００５０】
パラメータ生成部１１４は、図５に示すように、平均走行時間ｔａｖに歩行者用信号灯器（例えば、歩行者用信号灯器３ａａ）の青点灯短縮時間ｔｐ１〜ｔｐ８が対応付けられた青点灯短縮情報ｄ１を用いて信号制御パラメータを生成する。
【００５１】
パラメータ生成部１１４は、交差点Ｉｓ１において、平均走行時間ｔａｖが例えば２４secの場合、平均走行時間ｔａｖ「２０〜２５」に対応する青点灯短縮時間ｔｐ５を参照する。パラメータ生成部１１４は、今使用されている歩行者用信号灯器３ａａの青点灯時間からｔｐ５減じた新たな青点灯時間を算出する。
【００５２】
歩行者用信号灯器３ａａには、歩行者６が横断歩道を渡りきるのに要する最小限の時間（以下の説明では、最小青点灯時間という。）が予め設定されている。パラメータ生成部１１４は、新たな青点灯時間と最小青点灯時間とを比較して、新たな青点灯時間が最小青点灯時間よりも長ければ、新たな青点灯時間に応じて、歩行者用信号灯器３ａａの青点灯時間を変更する。すなわち、パラメータ生成部１１４は、歩行者用信号灯器３ａａの青点灯時間が、新たな青点灯時間となるように、歩行者用信号灯器３ａａの青点灯時間を短縮する。パラメータ生成部１１４は、その時点における信号制御パラメータの歩行者用信号灯器３ａａの青点灯時間を短縮し、車両用信号灯器３ｂａの青点灯時間を変えないようにした信号制御パラメータを新たな信号制御パラメータとして生成する。
【００５３】
また、新たな青点灯時間が最小青点灯時間よりも短かければ、最小青点灯時間に応じて、歩行者用信号灯器３ａａの青点灯時間を変更する。ただし、最小青点灯時間に応じて、歩行者用信号灯器３ａａの青点灯時間がその時点における信号制御パラメータの青点灯時間と同じであれば、パラメータ生成部１１４は、新たな信号制御パラメータを生成しない。
【００５４】
図６は、現示階梯図を示す図である。図６で示される現示階梯図は、図２に示した交差点Ｉｓ１の交通信号灯器３の現示階梯図である。階梯ステップ１、２は、現示が主道路側の車両及び従道路を横断する歩行者であるフェーズΦ１である。階梯ステップ３、４は、現示が主道路側の車両であるフェーズΦ２である。階梯ステップ５、６は、現示が主道路側の右折車両であるフェーズΦ３である。また、階梯ステップ７は、交差点内に位置する車両や歩行者を捌くために、全ての交通信号灯器３を赤信号にする階梯ステップである。階梯ステップ８、９は、現示が従道路側の車両及び主道路を横断する歩行者であるフェーズΦ４である。また、階梯ステップ１０、１１は、現示が従道路側の車両であるフェーズΦ５である。さらに、階梯ステップ１２、１３は、現示が従道路側の右折車両であるフェーズΦ６である。また、階梯ステップ１４は、交差点Ｉｓ１内に位置する車両や歩行者を捌くために、全ての交通信号灯器３を赤信号にする階梯ステップである。
【００５５】
パラメータ生成部１１４は、図６で示される現示階梯図の階梯ステップ１の時間を短縮する。したがって、フェーズΦ１の時間が短くなるので、フェーズΦ２の時間が長くなる。
【００５６】
なお、青点灯短縮時間ｔｐ１〜ｔｐ８は、交差点Ｉｓ１に設定されている任意の秒数（０秒を含む）である。また、図５で示される青点灯短縮情報ｄ１は、例えば、センタ装置１の記憶部に予め記憶されている。また、図５で示される平均走行時間ｔａｖ「１〜５」は、１sec以上５sec未満のことを示し、他の欄の記載も同様の意味を示す。
【００５７】
パラメータ生成部１１４は、生成した新たな信号制御パラメータを、信号制御通信部１３を介して、信号制御機２に送信する。
【００５８】
信号制御通信部１３は、信号制御機２と通信網を介して通信可能に接続されている。信号制御通信部１３は、パラメータ生成部１１４で生成された信号制御パラメータを所定の期間毎に交差点Ｉｓ１、Ｉｓ２に送信する。
【００５９】
注意情報出力部１４は、例えば、車両の左折側にいる歩行者６によって当該車両が停止することで交通流が低下した時間帯に、注意を促す注意情報を交通情報板（図示せず）に出力する。交通情報板は、注意情報を受け取ると、文字、又は画像を表示して、車両のドライバーに注意を促す。
【００６０】
センタ装置１の制御ユニット１１は、ハードウェアＣＰＵ、メモリ、その他の電子回路によって構成されている。ハードウェアＣＰＵが、この発明に係る信号制御パラメータ生成プログラムを実行したときに、部分軌跡抽出部１１１、推定部１１２、集計部１１３、およびパラメータ生成部１１４として動作する。また、メモリは、この発明に係る信号制御パラメータ生成プログラムを展開する領域や、この信号制御パラメータ生成プログラムの実行時に生じたデータ等を一時記憶する領域を有している。制御ユニット１１は、ハードウェアＣＰＵ、メモリ等を一体化したＬＳＩであってもよい。また、ハードウェアＣＰＵが、この発明に係る信号制御パラメータ生成方法を実行するコンピュータである。
【００６１】
＜３．動作例＞
センタ装置１の動作ついて図７〜図１１を参照して説明する。図７は、センタ装置１の動作を示すフローチャートである。図８は、走行軌跡抽出処理の一例を示すフローチャートである。図９は、推定処理の一例を示すフローチャートである。図１０は、集計処理の一例を示すフローチャートである。図１１は、パラメータ生成処理の一例を示すフローチャートである。
【００６２】
センタ装置１の動作の一例について図７を参照して説明する。センタ装置１は、情報取得部１２からプローブ車両４の走行軌跡情報を取得する（Ｓ１）。センタ装置１の部分軌跡抽出部１１１は、左折時の部分走行軌跡情報を抽出する部分軌跡抽出処理を行う（Ｓ２）。センタ装置１の推定部１１２は、走行状態を推定する推定処理を行う（Ｓ３）。センタ装置１の集計部１１３は、推定結果を集計する集計処理を行う（Ｓ４）。そして、センタ装置１のパラメータ生成部１１４は、信号制御パラメータを生成するパラメータ生成処理を行う（Ｓ５）。
【００６３】
なお、この例に係るセンタ装置１の動作は一例であって、これに限定されない。センタ装置１は、Ｓ１〜Ｓ５を一連で動作させなくてもよく、各Ｓ１〜Ｓ５を個別に動作させてもよい。
【００６４】
走行軌跡抽出処理の一例について図８を参照して説明する。なお、以下に示す走行軌跡抽出処理は、一例であって、これに限定されない。
【００６５】
部分軌跡抽出部１１１は、地図データに走行軌跡情報を対応付ける（Ｓ２１）。部分軌跡抽出部１１１は、プローブ車両４が地図上の位置情報から交差点Ｉｓ１で左折したプローブ車両４の左折時の部分走行軌跡情報を抽出する（Ｓ２２）。
【００６６】
推定処理の一例について図９を参照して説明する。なお、以下に示す推定処理は、一例であって、これに限定されない。
【００６７】
推定部１１２は、左折時の部分走行軌跡情報から、交差点Ｉｓ１において、プローブ車両４が左折側の横断歩道の手前で停止したと判定し、横断歩道の通過後に加速したと判定した場合（Ｓ３１：Ｙｅｓ、Ｓ３２：Ｙｅｓ）、プローブ車両４の走行状態（横断歩道手の手前での停止）が歩行者６の影響を受けたと推定する（Ｓ３３）。推定部１１２は、推定した走行状態を、車両ＩＤ、交差点ＩＤ、交差点の始点５１の通過日時、及び走行時間を対応づける（Ｓ３５）。
【００６８】
一方、推定部１１２は、プローブ車両４が左折側の横断歩道の手前で停止していないと判定した場合（Ｓ３１：Ｎｏ）、又は横断歩道通過後に加速していないと判定した場合（Ｓ３２：Ｎｏ）、プローブ車両４の走行状態が、歩行者６の影響を受けていないと推定する（Ｓ３４）。推定部１１２は、処理をＳ３５に移行する。
【００６９】
集計処理の一例について図１０を参照して説明する。なお、以下に示す集計処理は、一例であって、これに限定されない。また、Ｓ４１とＳ４２の処理はこの順番に限らず、逆の順番であってもよい。
【００７０】
集計部１１３は、推定結果を交差点毎に集計する（Ｓ４１）。集計部１１３は、交差点Ｉｓ１について、時間帯（例えば、１２時か１８時の間（図４（Ａ）、（Ｂ）参照））に左折したプローブ車両４の合計台数に対するするパターンＢのプローブ車両４の台数の割合を算出する（Ｓ４２）。集計部１１３は、算出された割合が予め決められていた基準値を超えていれば（Ｓ４３：Ｙｅｓ）、パターンＢのプローブ車両４の走行時間の平均走行時間ｔａｖを算出する（Ｓ４４）。
【００７１】
パラメータ生成処理の一例について、図１１を参照して説明する。なお、以下に示す集計処理は、一例であって、これに限定されない。
【００７２】
パラメータ生成部１１４は、集計部１１３が集計した各交差点Ｉｓ１における平均走行時間ｔａｖに対応する歩行者用信号灯器３ａａの青点灯短縮時間ｔｐ１〜８を決定する（Ｓ５１）。パラメータ生成部１１４は、その時点における信号制御パラメータの歩行者用信号灯器３ａａの青点灯時間から対応する青点灯短縮時間ｔｐ１〜ｔｐ８を減じた新たな青点灯時間を算出する（Ｓ５２）。パラメータ生成部１１４は、新たな青点灯時間と青点灯最小時間とを比較する（Ｓ５３）。パラメータ生成部１１４は、新たな青点灯時間が最小青点灯時間を超えていれば（Ｓ５３：Ｙｅｓ）、その時点における信号制御パラメータを、新たな青点灯時間に応じて、この歩行者用信号灯器３ａａの青点灯時間を変更した新たな信号制御パラメータを生成する（Ｓ５４）。
【００７３】
一方、パラメータ生成部１１４は、新たな青点灯時間が最小青点灯時間よりも短ければ、（Ｓ５３：Ｎｏ）、その時点における信号制御パラメータを、最小青点灯時間に応じて、この歩行者用信号灯器３ａａのスプリットを変更した新たな信号制御パラメータとして生成する（Ｓ５５）。
【００７４】
なお、パラメータ生成部１１４は、新たな青点灯時間と最小青点灯時間とが同じであれば、歩行者用信号灯器３ａａの青点灯時間を変更する必要がないので、新たな信号制御パラメータを生成しなくてもよい。
【００７５】
センタ装置１は、車両用信号灯器３ｂａの青点灯時間を変更せずに、歩行者用信号灯器３ａａの青点灯時間を短縮するので、フェーズΦ２（図６参照）の時間が実質上長くなる。すなわち、従道路を横断する横断歩道の歩行者用信号灯器３ａａの青点灯時間が短くなれば、主道路を走行する車両が交差点Ｉｓ１を通過する時間が長くなる。これにより、歩行者用信号灯器３ａａの青点灯時間を短縮する前と比較して、より多くの車両（主道路を走行する車両）が、交差点Ｉｓ１、Ｉｓ２を左折することができる。したがって、センタ装置１は、交差点Ｉｓ１、Ｉｓ２において、車両の停止が歩行者６によることで発生する交通流の低下を抑えることができる。
【００７６】
なお、上述例では、主道路（図２における下側）から従道路（図２における左側）に向かって左折するプローブ車両４の例で説明しているが、これに限定されない。また、始点５１及び終点５２は、ドライバー等が視認できるように道路の路面にマーキングを施しておく必要はない。
【００７７】
＜４．変形例＞
この変形例に係るセンタ装置１の部分軌跡抽出処理の一例について図１２を参照して説明する。図１２は、変形例に係る部分軌跡抽出処理の一例である。この変形例の部分軌跡抽出処理は、抽出した左折時の部分走行軌跡情報の内容が上述の実施例に係る部分軌跡抽出処理と異なる。
【００７８】
なお、図１２におけるＳ６１は、図８のＳ２１と同じ処理なので、説明を省略する。また、この変形例では、交差点Ｉｓ１の例で説明するがこの例に限定されず、交差点Ｉｓ２の例でもよい。また、上述の例と同じ構成に関しては、説明を省略する。
【００７９】
この変形例に係るセンタ装置１の部分軌跡抽出部１１１は、取得した走行軌跡情報から交差点Ｉｓ１で左折したプローブ車両４が始点５１から終点５２に至るまでに実際に要した第１走行時間（Ｓ６２）を算出する。部分軌跡抽出部１１１は、第１走行時間と、予め決められた第１走行基準時間とを比較する（Ｓ６３）。ここでいう、第１走行基準時間は、車両が始点５１から終点５２に至るまでに要する基準値（時間）である。すなわち、部分軌跡抽出部１１１は、第１走行時間が第１走行基準時間を超えていれば、プローブ車両４の走行状態（例えば、停止）が歩行者６及び先詰まりのいずれかによるものであると判定する。
【００８０】
部分軌跡抽出部１１１は、プローブ車両４の第１走行時間が第１走行基準時間を超えていれば（Ｓ６３：Ｙｅｓ）、第１走行時間が第１走行基準時間を超えているプローブ車両４が交差点Ｉｓ１を左折したときの部分走行軌跡情報を抽出する（Ｓ６４）。
【００８１】
この変形例のセンタ装置１は、部分軌跡抽出部１１１が抽出する情報量が少なくなり、走行状態を推定する推定処理も少なくなるので、部分軌跡抽出部１１１及び推定部１１２を含むＣＰＵの負荷を軽減できる。
【００８２】
また、別の変形例に係るセンタ装置１の部分軌跡抽出部１１１は、プローブ車両４が車両用信号灯器３ｂａによって停止した時間を考慮していることが、上述の実施例及び上述の変形例と異なる。この場合、プローブ車両４が交差点Ｉｓ１の手前で車両用信号灯器３ｂａの表示が停止（例えば、赤点灯）を示していれば、左折先の状況に関係なく、ドライバーはプローブ車両４を停止させる。そこで、この変形例に係る部分軌跡抽出部１１１は、ドライバーがプローブ車両４を車両用信号灯器３ｂａによって停止線と始点５１との間で停止させた場合、プローブ車両４の停止位置から終点５２に至るまでに要する第２走行基準時間を、以下の式（１）を用いて算出する。  
（式１）第２走行基準時間＝停止位置から終点５２までの距離／歩行者の影響を受けない場合の停止位置から終点５２までの平均速度
【００８３】
そして、部分軌跡抽出部１１１は、例えば、第２走行基準時間を用いて、プローブ車両４の前方にいる車両が歩行者６及び先詰まりによって停止しているか、又は赤点灯で停止しているのかを推定する。部分軌跡抽出部１１１は、例えば、プローブ車両４の以下の式（３）で算出される第２走行時間と、第２走行基準時間とを比較する。なお、プローブ車両４が信号待ちのよる停止の状態から走行を開始した場合、この走行を開始した当該プローブ車両４の出発時刻が計測されなければ、例えば、部分軌跡抽出部１１１は、走行時間を推定する。第２走行時間は、この推定された走行時間である。また、以下でいう平均出発時刻とは、以下の式（２）で示されるように、車両用信号灯器３ｂａが青信号に切り替わった後における当該プローブ車両４の停止位置に応じた平均的な出発時刻である。  
（式２）：平均出発時刻＝車両用信号灯器３ｂａの青開始時刻＋（停止線までの距離／発進波速度）
（式３）：第２走行時間＝終点５２の通過時刻−平均出発時刻
【００８４】
部分軌跡抽出部１１１は、第２走行時間が第２走行基準値を超えていれば、プローブ車両４の走行状態（例えば、停止）が歩行者６及び先詰まりのいずれかによるものであると判定し、このプローブ車両４の左折時の部分走行軌跡情報を抽出する。
【００８５】
この変形例のセンタ装置１は、部分軌跡抽出部１１１が抽出する情報量が少なくなり、走行状態を推定する推定処理も少なくなるので、部分軌跡抽出部１１１及び推定部１１２を含むＣＰＵの負荷を軽減できる。また、この変形例のセンタ装置１は、プローブ車両４について、信号待ちによる停止時間を排除して、走行状態が歩行者６の影響を受けたかどうかを推定する。これにより、この変形例のセンタ装置１は、プローブ車両４の前方にいる左折車両が歩行者６の影響によって左折するのに時間が長くなっていることで、当該プローブ車両４が間接的に歩行者６の影響を受けたと推定することができる。
【００８６】
また、この変形例に係る部分軌跡抽出部１１１は、プローブ車両４が車両用信号灯器３ｂａによって停止したと判定した場合、第１走行時間から赤信号で停止した停止時間を減じた第２走行時間を算出してもよい。
【００８７】
また、別の変形例に係るセンタ装置１は、推定処理の前に、部分軌跡抽出部が抽出した左折時の走行軌跡情報を交差点別に区別してもよい。
【００８８】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【００８９】
さらに、この発明に係る構成と上述した実施形態に係る構成との対応関係は、以下の付記のように記載できる。
【００９０】
＜付記＞
車両（４）の走行軌跡情報を取得する情報取得部（１２）と、前記情報取得部（１２）で取得した前記走行軌跡情報から、当該車両（４）が交差点（Ｉｓ１、Ｉｓ２）を左折したときの部分走行軌跡情報を抽出する部分軌跡抽出部（１１１）と、前記部分軌跡抽出部（１１１）に抽出された前記部分走行軌跡情報を用いて前記車両（４）の走行状態を推定した推定部（１１２）と、前記推定部（１１２）によって推定された前記走行状態に応じて、前記部分走行軌跡情報を交差点（Ｉｓ１、Ｉｓ２）別に集計する集計部（１１３）と、前記集計部（１１３）の集計結果に応じて、信号制御パラメータを生成するパラメータ生成部（１１４）と、を備え、前記部分走行軌跡情報は、前記交差点（Ｉｓ１、Ｉｓ２）の前に設定された始点（５１）から、前記交差点（Ｉｓ１、Ｉｓ２）の先に設定された終点（５２）までの前記車両（４）の軌跡を示す情報である、信号制御パラメータ生成装置（１）。
【符号の説明】
【００９１】
Ｉｓ１，Ｉｓ２…交差点
１…センタ装置（信号制御パラメータ生成装置）
４…プローブ車両（車両）
６…歩行者
１２…情報取得部
５１…始点
５２…終点
１１１…部分軌跡抽出部
１１２…推定部
１１３…集計部
１１４…パラメータ生成部
【図１】
2020086648.tif 000003
【図２】
2020086648.tif 000004
【図３】
2020086648.tif 000005
【図４】
2020086648.tif 000006
【図５】
2020086648.tif 000007
【図６】
2020086648.tif 000008
【図７】
2020086648.tif 000009
【図８】
2020086648.tif 000010
【図９】
2020086648.tif 000011
【図１０】
2020086648.tif 000012
【図１１】
2020086648.tif 000013
【図１２】
2020086648.tif 000014